(57)【特許請求の範囲】
【請求項１】
既存の壁の室内側に施工される断熱リフォーム用断熱パネルの取付構造であって、
水平に延びる桟木を上下方向に所定の間隔で複数配して前記桟木間に矩形状の断熱材を配したものの室内側表面に板材を、上下からそれぞれ突出するように固定して、前記断熱材と前記板材を一体化することにより、既存の壁に配置された下地材に重ね合わされる嵌合部が上端及び下端の二辺だけに設けられてなり、
既存の壁における仕上げ材を撤去することなく施工されることを特徴とする断熱リフォーム用断熱パネルの取付構造。
【請求項２】
前記複数配された桟木の左右両端側に上下に延びる縦桟木を配してなることを特徴とする請求項１に記載の断熱リフォーム用断熱パネルの取付構造。
【請求項３】
前記桟木のうち最上位の桟木の上には前記断熱材が配されるとともに、前記桟木のうち最下位の桟木の下にも前記断熱材が配されてなることを特徴とする請求項１又は２に記載の断熱リフォーム用断熱パネルの取付構造。
【請求項４】
前記所定の間隔で複数配された桟木のうち、所定の位置にある桟木では、二つの桟木が上下二段に固定されることなく重ねられ、その二段の桟木の境界線を切断時の切断ガイド線としてなることを特徴とする請求項１に記載の断熱リフォーム用断熱パネルの取付構造。
【請求項５】
既存の天井及び既存の床のうち少なくとも一つの部位の室内側に施工される断熱リフォーム用断熱パネルの取付構造であって、
水平に延びる桟木を上下方向に所定の間隔で複数配して前記桟木間に矩形状の断熱材を配したものの室内側表面に板材を、周囲からそれぞれ突出するように固定して、前記断熱材と前記板材を一体化することにより、前記部位となる既存の天井又は既存の床に配置された下地材に重ね合わされる嵌合部が周囲に設けられてなり、
前記部位となる既存の天井又は既存の床における仕上げ材を撤去することなく施工されることを特徴とする断熱リフォーム用断熱パネルの取付構造。
【請求項６】
前記断熱材として、熱伝導率０．０２８以下のものを使用したことを特徴とする請求項１乃至５のうちいずれか一つに記載の断熱リフォーム用断熱パネルの取付構造。
【請求項７】
既存の壁の室内側に断熱パネルを施工するリフォーム方法であって、
水平に延びる桟木を上下方向に所定の間隔で複数配して前記桟木間に矩形状の断熱材を配したものの室内側表面に板材を、上下からそれぞれ突出するように固定して、前記断熱材と前記板材を一体化してなり、しかも嵌合部が上端及び下端の二辺だけに設けられた断熱パネルの、前記嵌合部を、既存の壁に配置された下地材に重ね合わせて、既存の壁における仕上げ材を撤去することなく施工することを特徴とする断熱リフォーム方法。
【請求項８】
既存の天井及び既存の床のうち少なくとも一つの部位の室内側に断熱パネルを施工するリフォーム方法であって、
水平に延びる桟木を上下方向に所定の間隔で複数配して前記桟木間に矩形状の断熱材を配したものの室内側表面に板材を、周囲からそれぞれ突出するように固定して、前記断熱材と前記板材を一体化してなり、しかも嵌合部が周囲に設けられた断熱パネルの、前記嵌合部を、前記部位となる既存の天井又は既存の床に配置された下地材に重ね合わせて、既存の天井又は既存の床における仕上げ材を撤去することなく施工することを特徴とする断熱リフォーム方法。
【発明の詳細な説明】
【技術分野】
【０００１】
本発明は、既存の住宅について断熱効果を高めるようにリフォームする断熱リフォーム方法及びその方法に使用される断熱リフォーム用断熱パネルの取付構造に関するものである。
【背景技術】
【０００２】
近年、新築住宅では地球温暖化防止、省エネルギー等の観点に加えて、建築基準法の改正もあって、壁・天井・床等への断熱材の使用が一般化している。窓についても、寒冷地を中心に、ペアガラスを使用した断熱サッシが普及しつつある。
一方、住宅ストックの大半を占める既存住宅においても断熱工事は可能であり、これらの断熱工事を実施する際には、壁・天井・床に加えて、窓の断熱工事を行えば効果的である。
例えば、熱損失については、暖房と冷房で多少異なるが、壁・天井・床で全体の約２５％、窓等の開口部から５０〜７０％の熱が損失すると言われている。これを少しでも減少させる事で、既存の住宅であっても最新の住宅に近い断熱性能を得ることが可能となる。
【０００３】
そこで、近年では既存住宅に対しては、リフォーム時に断熱工事を併せて行う例が多い。既存の断熱リフォームとしては、壁・天井・床の既存表面材を撤去後、グラスウール等の断熱材を間柱・野縁・根太間に施工し、再び表面材を施工する方法が一般的である。
この方法によると、一旦既存の壁・天井・床を撤去するときにそれらを破損してしまうので、たとえリフォーム前において何ら問題がない壁・天井・床であったとしても、一旦撤去された壁・天井・床の再利用は困難であり、通常は廃棄される。
【０００４】
一方、既存建材をそのまま生かして断熱工事を行う方法も存在する。例えば、既存壁に穿孔し、この孔から壁裏の空隙にウレタン液を注入し、発泡・硬化させた断熱材施工方法である。これは既存建材を撤去することなく、しかも比較的短時間で施工可能である。天井に関しては、天井裏に上がって手作業でグラスウールを敷き詰める方法が一般的だが、セルロースファイバー等の綿状断熱材をブロワーで吹き込んで積層させ、断熱層を形成する方法もある。
【０００５】
また、サッシ等の開口部については、既存サッシを撤去後、高気密サッシへの交換が一般的だが、ガラス部分にペアガラスを用いて、断熱構造を有するアルミサッシや木製サッシ、プラスチック製サッシ等への交換を行う場合が多い（例えば、特許文献１参照）。
【０００６】
ところで、住宅の種類による断熱リフォームについてみると、戸建住宅では防火地域における外壁やサッシの材質に関する規制等を除けば、特に大きな問題は無い。
しかし、集合住宅ではそもそもサッシを含めた外装は共有部分である為に、大規模修繕等、集合住宅全体で行うような工事を除いて、区分所有者が無断でサッシや外壁の交換等の改装を行う事はできない（但し、破損したガラス交換を除く）。個人が行える断熱リフォームは、あくまで区分所有範囲内のみであり、サッシも既存サッシを残したリフォームに限定されるのが現状である。
【０００７】
そこで、これらの問題を解決する為に、図１２に示すように、近年、既存の外窓１１の室内側にプラスチック製や木製の新たな障子１２を内窓として新たに設けて、二重窓とする例がある（例えば、特許文献２，３参照）。
これは、既存の窓枠１３に室内側に張り出すように新たな窓枠１４を取付けるとともに、新たな窓枠１４に新たな障子（内窓）１２を設けて、既存の外窓１１と内窓１２との間に形成された空気層を断熱材として利用するものである。新たな窓枠１４は既存の窓枠１３に対して矩形状のそのものをそのまま取付けるようにしても、上下左右に分割した状態で取付け、取付け後に矩形状にするようにしてもよい。また、このような二重窓は併せて遮音効果も得る事が可能となる。
【先行技術文献】
【特許文献】
【０００８】
【特許文献１】実公昭６１−００１２５０号公報
【特許文献２】実公昭６２−０００３８９号公報
【特許文献３】特開平１１−３２４５２６号公報
【発明の概要】
【発明が解決しようとする課題】
【０００９】
しかしながら、従来の既存の住宅における断熱リフォーム工事に関しては、以下の問題点があった。
１．大量の廃棄物が発生する
壁・天井・床の断熱リフォームでは、一旦、既存の仕上げ材を撤去して間柱・野縁・根太間に断熱材を施工する必要がある。この一旦撤去した仕上げ材は、程度に差はあるが通常は汚損している上に、施工時（新築時）に使用された釘や接着剤が付着しているので、再利用は極めて困難であり、廃棄処分されるのが一般的である。場合によっては下地である間柱・野縁・根太等の交換が必要な場合もある。
窓に対し断熱リフォームを施す場合も、既存のサッシから高気密サッシへの交換という方法を採ると、既存のサッシを廃棄する必要がある。
【００１０】
２．工期が長くなる
一旦、既存の仕上げ材を撤去すると、その分工期が長くなってしまう。仕上げ材を撤去した後に間柱・野縁・根太材の交換が必要であると判明した場合には、一層リフォームが長期化してしまう。もちろん、工期が長くなると、その分コストが嵩んでしまう。
【００１１】
３．部屋単位の断熱リフォームは困難である
上記のような内断熱とは異なり、外断熱の場合、例えば壁一面だけ施工して残りの面には断熱工事を未実施では断熱効果は薄いので、住宅全体を一気に断熱施工する形が一般的である。あくまで外断熱リフォームでは、住宅全体の外周を一度に断熱施工する事が前提である。したがって、莫大な工事費用が必要となってしまうので、気軽に断熱工事を行う事はできない。
また、外断熱は基本的に外壁全体に断熱材を施工するので、断熱工事が不要な納戸、倉庫、未使用の居室等まで断熱する事となってしまい、無駄が多い。
【００１２】
４．リフォーム中は生活が困難である
外断熱の場合、外壁面から施工する事となるので、足場施工も必要で、家全体のリフォームとなってしまう。工事中は騒音や振動、ホコリ等が顕著な上に、全部屋が工事対象となってしまうので、工事場所の家具等を他の部屋に退避させておく事は困難である。
また、既存サッシを高気密サッシへ交換する場合、既存サッシ撤去後、新サッシ工事完了までの間は施錠ができず外部からの侵入が容易なので、セキュリティ上の大きな問題も生じてしまう。
以上の問題点１乃至４のように、従来の断熱リフォームは大掛かりなものであるので、気軽に断熱リフォームを行うことができない。
【００１３】
５．ヒートブリッジが形成される恐れがある
断熱材は通常、間柱・野縁・根太材間に落とし込むようにして施工されるので、長年の使用によって脱落し易く、一旦断熱材が脱落するとこの部分の断熱効果が大幅に低下してしまう。熱が室内外へ行き来してしまうこの箇所をヒートブリッジいう。
また、ウレタン注入・発泡及びセルロースファイバー吹き込みによる断熱層形成の場合、断熱材が隅々まで正確に充填されたかどうかを目視により確認することはできず、また他の確認方法もない。よって、断熱層の充填状態は作業者の勘と経験に頼るしかないので、断熱層が形成されない箇所が残ってしまい、ヒートブリッジを形成してしまう危険性がある。
また、これらの断熱材は正常に施工された状態であったとしても、間柱・野縁・根太材の存在する部分には断熱材が存在しないので、その部分は断熱材がある部分に比較して相対的に熱が伝わり易い。その結果、リフォーム施工後長期間経過すると、間柱・野縁・根太材等の位置が黒い影のように浮かび上がって見苦しくなる場合がある。
窓に関してサッシを交換する場合、アルミは熱を伝え易いので、アルミサッシでは室内・室外間を遮断する断熱層の設置が不可欠である。これを怠ると、たとえ断熱性に優れたペアガラスを用いたとしても、アルミのサッシ枠部分から熱損失が生じてしまう。
【００１４】
６．見栄えが悪い
特に、既存の窓の内側に内窓を設けて二重窓にする場合、内窓部分が室内側へ張り出すので、既存の窓を囲む既存の壁との間に大きな段差ができてしまい、見栄えが悪い。
【００１５】
７．天候に左右される
外壁に断熱材を施工する場合等では、天候にリフォームが左右されてしまう場合が多い。特に積雪地では冬季の工事は基本的に不可能である。
【００１６】
８．集合住宅に適した工法が無い
集合住宅では、入居者の区分所有権の及ぶ範囲は室内側のみであり、外断熱は勿論、サッシに対しても、区分所有者が無断で改装を行う事は出来ない。
【００１７】
そこで、本発明の目的とするところは、簡易かつ断熱効果の高いリフォームを行うことができる断熱リフォーム方法及び断熱リフォーム用断熱パネルの取付構造を提供することにある。
また、他の目的として、見栄えがよい断熱リフォーム方法及び断熱リフォーム用断熱パネルの取付構造を提供することにある。
【課題を解決するための手段】
【００１８】
上記の目的を達成するために、本発明の請求項１に記載の断熱リフォーム用断熱パネルの取付構造は、既存の壁（１）の室内側（Ｐ）に施工される断熱リフォーム用断熱パネル（２０，５０）の取付構造であって、
水平に延びる桟木（２３，５３）を上下方向に所定の間隔で複数配して前記桟木（２３，５３）間に矩形状の断熱材（２１，５１）を配したものの室内側（Ｐ）表面に板材（２２，５２）を、上下からそれぞれ突出するように固定して、前記断熱材（２１，５１）と前記板材（２２，５２）を一体化することにより、既存の壁（１）に配置された下地材に重ね合わされる嵌合部（２７，５７）が上端及び下端の二辺だけに設けられてなり、既存の壁（１）における仕上げ材を撤去することなく施工されることを特徴とする。
【００１９】
また、請求項２に記載の断熱リフォーム用断熱パネルの取付構造は、前記複数配された桟木（５３）の左右両端側に上下に延びる縦桟木（５８）を配してなることを特徴とする。
【００２０】
また、請求項３に記載の断熱リフォーム用断熱パネルの取付構造は、前記桟木（２３，５３）のうち最上位の桟木の上には前記断熱材（２１，５１）が配されるとともに、前記桟木（２３，５３）のうち最下位の桟木の下にも前記断熱材（２１，５１）が配されてなることを特徴とする。
【００２１】
また、請求項４に記載の断熱リフォーム用断熱パネルの取付構造は、前記所定の間隔で複数配された桟木（２３）のうち、所定の位置にある桟木（２３）では、二つの桟木（２３）が上下二段に固定されることなく重ねられ、その二段の桟木（２３）の境界線を切断時の切断ガイド線（２６）としてなることを特徴とする。
【００２２】
また、請求項５に記載の断熱リフォーム用断熱パネルの取付構造は、既存の天井（２）及び既存の床（３）のうち少なくとも一つの部位の室内側（Ｐ）に施工される断熱リフォーム用断熱パネル（３０，４０）の取付構造であって、
水平に延びる桟木（３３，４３）を上下方向に所定の間隔で複数配して前記桟木（３３，４３）間に矩形状の断熱材（３１，４１）を配したものの室内側（Ｐ）表面に板材（３２，４２）を、周囲からそれぞれ突出するように固定して、前記断熱材（３１，４１）と前記板材（３２，４２）を一体化することにより、前記部位となる既存の天井（２）又は既存の床（３）に配置された下地材に重ね合わされる嵌合部（３７，４７）が周囲に設けられてなり、
前記部位となる既存の天井（２）又は既存の床（３）における仕上げ材を撤去することなく施工されることを特徴とする。
【００２３】
また、請求項６に記載の断熱リフォーム用断熱パネルの取付構造は、前記断熱材（２１，３１，４１，５１）として、熱伝導率０．０２８以下のものを使用したことを特徴とする。
【００２４】
また、請求項７に記載の断熱リフォーム方法は、既存の壁（１）の室内側（Ｐ）に断熱パネル（２０，５０）を施工するリフォーム方法であって、
水平に延びる桟木（２３，５３）を上下方向に所定の間隔で複数配して前記桟木（２３，５３）間に矩形状の断熱材（２１，５１）を配したものの室内側（Ｐ）表面に板材（２２，５２）を、上下からそれぞれ突出するように固定して、前記断熱材（２１，５１）と前記板材（２２，５２）を一体化してなり、しかも嵌合部（２７，５７）が上端及び下端の二辺だけに設けられた断熱パネル（２０，５０）の、前記嵌合部（２７，５７）を、既存の壁（１）に配置された下地材に重ね合わせて、既存の壁（１）における仕上げ材を撤去することなく施工することを特徴とする。
【００２５】
また、請求項８に記載の断熱リフォーム方法は、既存の天井（２）及び既存の床（３）のうち少なくとも一つの部位の室内側（Ｐ）に断熱パネル（３０，４０）を施工するリフォーム方法であって、
水平に延びる桟木（３３，４３）を上下方向に所定の間隔で複数配して前記桟木（３３，４３）間に矩形状の断熱材（３１，４１）を配したものの室内側（Ｐ）表面に板材（３２，４２）を、周囲からそれぞれ突出するように固定して、前記断熱材（３１，４１）と前記板材（３２，４２）を一体化してなり、しかも嵌合部（３７，４７）が周囲に設けられた断熱パネル（３０，４０）の、前記嵌合部（３７，４７）を、前記部位となる既存の天井（２）又は既存の床（３）に配置された下地材に重ね合わせて、既存の天井（２）又は既存の床（３）における仕上げ材を撤去することなく施工することを特徴とする。
【００２８】
ここで、上記括弧内の記号は、図面および後述する発明を実施するための形態に掲載された対応要素または対応事項を示す。
【発明の効果】
【００２９】
本発明によれば、以下の効果がある。
１．廃棄物がほとんど発生しない
既存の壁における仕上げ材を撤去することなく、断熱材と板材を一体化してなる断熱リフォーム用断熱パネルを施工するだけなので、廃棄物はほとんど発生しない。
窓に対する断熱リフォームにおいても、既存のサッシをそのまま温存するので、廃棄物が発生しない。
２．工期が短い
既存の仕上げ材を撤去する手間が掛からないので、工期は短期である。当然ながら、仕上げ材の撤去に伴う間柱の破損がないので、これらの交換の必要もない。
【００３０】
３．部屋単位の断熱リフォームが可能
室内側からの施工であるので、断熱施工が一部屋単位であってもその部屋における断熱効果は高い。したがって、例えば初年度は一部屋だけリフォームを行い、他の部屋のリフォームは次年度以降に行うといった部屋単位でのリフォームも可能である。つまり、外断熱の場合のように、住宅全体を一気に断熱施工する必要は無いので、気軽に断熱リフォームを行うことができる。
また、断熱工事が不要な納戸、倉庫、未使用の居室等は断熱する必要が無いので、その分の費用節約も可能である。
４．リフォーム中も生活が可能
部屋単位で順番に施工可能なので、断熱リフォーム中もその住宅での生活が可能である。また、施工現場の家具のみを他の部屋に一時的に退避して工事続行が可能である。よって、転居や、家具の退避に伴う倉庫を借りる等の手間及びコストが掛からない。
また、全て室内側から工事が可能なので、外壁足場は不要である。サッシも既存サッシがそのままなので、施錠することができ、セキュリティ上も全く問題ない。
以上に示したように、この断熱リフォーム方法は簡易なものである。しかも、本発明には同時に以下に示す効果もある。
【００３１】
５．ヒートブリッジが形成される恐れが少ない
既存の間柱と断熱パネルの断熱材が直交するように施工すれば、断熱材の無いヒートブリッジとなり得る部分は僅かしかない。
断熱材は工場で均質な状態で製造したものを用いるので、断熱材が隅々まで正確に施工されたかは目視で容易に確認可能であり、ヒートブリッジ形成の危険性は殆ど無い。
このようにヒートブリッジが形成され難いので、断熱効果が高く、またリフォーム施工後長期間経過しても、間柱等の位置が黒い影のように浮かび上がって見苦しくなる恐れも無い。
６．見栄えがよい
また、断熱リフォーム用断熱パネルを施工して、窓枠の室内側に張り出した部位を埋めるので、壁と張り出した部位との段差が小さくなり、見栄えがよい。
【００３２】
７．天候に左右されない
室内での工事だけで済むので、天候の影響は受けない。よって、冬季の積雪地であっても、資材の運搬さえできれば支障なく工事が可能である。
８．集合住宅に適した工法である
断熱リフォーム用断熱パネルの施工は、全て入居者の区分所有権の及ぶ範囲である室内側であり、しかも既存の壁を撤去しなくてよいので、集合住宅であっても断熱施工が可能である。
また、既存のサッシには全く手を加えないので、窓についても集合住宅において断熱施工が可能である。
このように、既存の壁やサッシは残したままなので、リフォーム後も原状復旧が可能であり、退去時に原状復旧が必要な賃貸住宅にも適している。
【００３３】
また、本発明によれば、例えば、壁に囲まれた既存の外窓の室内側に張り出すように新たな窓枠を取付けるとともに、該新たな窓枠に障子を組み付けて二重窓にするリフォーム時に、この断熱リフォーム用断熱パネルは新たな窓枠の室内側に張り出した部位と壁との間を埋めるように施工されるので、廃棄物がほとんど発生しない。つまり、既存の壁における仕上げ材を撤去することなく、断熱リフォームを行うことができる。
また、既存の仕上げ材を撤去する手間がかからないので、工期は短期である。
また、部屋単位の断熱リフォームが可能であるとともに、リフォーム中も生活が可能である。
【００３４】
しかも、水平に延びる桟木を上下方向に所定の間隔で複数配するとともに桟木間に矩形状の断熱材を配してなる断熱面板の室内側表面に板材を固定するようにして、断熱材と板材を一体化してなるので、既存の上下に延びる間柱と断熱材とが直交する。よって、断熱材の無いヒートブリッジとなり得る部分は僅かしかなく、断熱効果が高い。
また、窓枠の室内側に張り出した部位を断熱リフォーム用断熱パネルで埋めるので、壁との間の段差が小さくなり、見栄えがよい。
また、桟木が断熱材に対して補強材となるので、上下の長さが壁の高さと略等しく大きな断熱リフォーム用断熱パネルであっても、その強度を十分保つことができる。
さらに、リフォームは全て屋内で行われるので、施工が天候に左右されない。
また、既存の壁やサッシはそのまま残すので、集合住宅であっても断熱施工が可能である。
【００３５】
また、本発明によれば、桟木は上下に位置する断熱材で挟持されているだけであり、断熱材及び板材に対しては固定されていないので、断熱リフォーム用断熱パネルから桟木を容易に取り外すことができ、その位置にて断熱リフォーム用断熱パネルを切断し易い。つまり、断熱リフォーム用断熱パネルを切断するときには、板材だけを切断するだけでよいので、断熱リフォーム用断熱パネルの寸法を対象の壁の寸法に容易に合わせることができる。
【００３６】
また、本発明によれば、桟木は上下に位置する断熱材で挟持されているものであり、板材に対しては剥離可能な仮固定部材によって固定されているので、桟木を取り外すことで断熱リフォーム用断熱パネルの寸法を対象の壁の寸法に容易に合わせることができる。
【００３７】
また、本発明によれば、断熱面板の所定の位置にある桟木では、二つの桟木が上下二段に固定されることなく重ねられ、その二段の桟木の境界線を切断時の切断ガイド線としてなるので、境界線に鋸等を沿わせて断熱リフォーム用断熱パネルを直線状に切断することが容易である。よって、現場での断熱リフォーム用断熱パネルの寸法合わせをさらに容易に行うことができる。
【００３８】
また、本発明によれば、板材には、断熱面板の上下からそれぞれ突出する突出部が形成され、全体が断面略凸字状の形状であるので、例えば、既存の壁の上下位置に角材を水平に配置しておけば、その角材に突出部を重ね合わせ、突出部に釘を打ち付けるだけで、断熱リフォーム用断熱パネルを壁に固定することができる。
【００３９】
また、本発明によれば、既存の壁，既存の天井，及び既存の床のうち少なくとも一つの部位の室内側に、断熱材と板材を一体化してなるとともに周囲に嵌合部が設けられた断熱パネルを重ねて施工するので、壁，天井，床のいずれに対するリフォームであっても、廃棄物をほとんど発生させずに断熱リフォームが可能である。また、壁，天井，床の既存の仕上げ材を撤去する手間が掛からないので、工期が短い。
これらの施工は全て室内側から行うことができるので、部屋単位の断熱リフォームが可能であるとともに、リフォーム中もその住宅での生活は可能である。
また、断熱リフォーム用断熱パネルにおける断熱材を既存の間柱・野縁・根太材と直交させるように断熱リフォーム用断熱パネルを施工すれば、断熱材の無いヒートブリッジとなり得る部分は僅かしか無く、さらに壁，天井，床の断熱リフォームを一度に行えば、その部屋における断熱効果は非常に高くなる。
【００４０】
また、本発明によれば、水平に延びる桟木を上下方向に所定の間隔で複数配するとともに桟木間に矩形状の断熱材を配してなる断熱面板の室内側表面に板材を固定するようにして、断熱材と板材を一体化してなるので、既存の間柱・野縁・根太と断熱材を直交させることができる。よって、断熱材の無いヒートブリッジとなり得る部分は僅かしかないので、断熱効果が高い。
また、桟木が断熱材に対して補強材となるので、大きな断熱リフォーム用断熱パネルであっても、その強度を十分保つことができる。
しかも周囲に嵌合部が設けられてなるので、例えば、既存の壁の上下位置に下地材として角材を水平に配置しておけば、その角材に嵌合部を重ね合わせ、嵌合部に釘を打ち付けるだけで、柱などの位置を気にせず断熱リフォーム用断熱パネルを壁に固定することができ、また、断熱リフォーム用断熱パネルの嵌合部と他の断熱リフォーム用断熱パネルの嵌合部とを嵌合させることで、その嵌合が強固となり、また目違いが生じ難い。
また、嵌合部に角材が納まるので、嵌合部のない断熱パネルを角材の上にそのまま固定した場合のように部屋が狭くなることはない。
【００４１】
また、本発明によれば、水平に延びる複数の桟木に加えて、上下に延びる縦桟木を、複数配された桟木の左右両端側に配し、室内側表面に板材を固定しているので、補強材となり強度を十分保つことができる。
【００４２】
なお、本発明の断熱リフォーム方法及び断熱リフォーム用断熱パネルのように、既存の外窓や壁を撤去することなく、断熱パネルを壁等に重ねて施工する点は、上述した特許文献１乃至３には全く記載されていない。
【図面の簡単な説明】
【００４３】
【図１】本発明の実施形態に係る壁用の断熱リフォーム用断熱パネルを示す斜視図である。
【図２】図１に示す壁用の断熱リフォーム用断熱パネルを示す拡大背面図である。
【図３】図１に示す壁用の断熱リフォーム用断熱パネルを示す拡大側面図である。
【図４】本発明の実施形態に係る天井用の断熱リフォーム用断熱パネルを示す斜視図である。
【図５】本発明の実施形態に係る床用の断熱リフォーム用断熱パネルを示す斜視図である。
【図６】本発明の実施形態に係る二重窓と壁用の断熱リフォーム用断熱パネルの施工状態を示す横断面図である。
【図７】本発明の実施形態に係る二重窓と壁用の断熱リフォーム用断熱パネルの施工状態を示す縦断面図である。
【図８】図１に示す壁用の断熱リフォーム用断熱パネルの施工方法を示す縦断面図である。
【図９】本発明の実施形態に係る二重窓の施工方法を示す正面図である。
【図１０】本発明の他の実施形態に係る壁用の断熱リフォーム用断熱パネルの施工方法を示す縦断面図であり、（ａ）は切断前の壁用の断熱リフォーム用断熱パネルを、（ｂ）は切断後の壁用の断熱リフォーム用断熱パネルを、（ｃ）は上下二段に重ねられた桟木を取り外した状態をそれぞれ示す。
【図１１】本発明の他の実施形態に係る壁用の断熱リフォーム用断熱パネルの割付を示す割付図である。
【図１２】既存の外窓を二重窓にするリフォーム方法を示す斜視図である。
【図１３】本発明の他の実施形態に係る壁用の断熱リフォーム用断熱パネルの施工方法を示す縦断面図である。
【図１４】本発明の他の実施形態に係る壁用の断熱リフォーム用断熱パネルを示す背面図である。
【図１５】図１４のＡ−Ａ線拡大断面図である。
【図１６】図１４のＢ−Ｂ線拡大断面図である。
【発明を実施するための形態】
【００４４】
図１乃至９、及び図１２を参照して、本発明の実施形態に係る断熱リフォーム用断熱パネル２０，３０，４０及び断熱リフォーム方法を説明する。
断熱リフォーム用断熱パネル２０，３０，４０としては、壁１用、天井２用、床３用の各種があり、それぞれサイズが異なるが、板材２２，３２，４２の片面に断熱材２１，３１，４１が接着され一体化したという点では共通する。
また、断熱のための二重窓１０についても説明する。
なお、従来例で示したものと同一部分には同一符号を付した。
【００４５】
壁用の断熱リフォーム用断熱パネル２０は、図１乃至３に示すように、断熱面板２４の室内側Ｐ表面に板材２２（ここでは合板）を固定してなる。
そして、断熱面板２４は、水平に延びる桟木２３を上下方向に所定の間隔で複数配し、桟木２３間に矩形状の断熱材２１を配してなる。桟木２３は上下に位置する断熱材２１で挟持されており、板材２２に対しては剥離可能なようにステープラ、あるいは少量の接着剤２５をスポット状に塗布することによって固定されている。また、桟木２３は短手方向に延びる。この断熱材２１は工場において均質に製造されたものであり、ここではその断熱材区分がＦランク（熱伝導率０．０２２以下）のＡ種フェノールフォーム保温板１種２号を用いた。
また、図２に示すように、上から二番目の断熱材２１と三番目の断熱材２１との間にある桟木２３、及び上から四番目の断熱材２１と五番目の断熱材２１との間にある桟木２３はそれぞれ、二つの桟木２３が上下二段に互いに固定されることなく重ねられている。上下二段の桟木２３の間は、境界線として数ｍｍ開けられている。この境界線は、壁用の断熱リフォーム用断熱パネル２０を上下に切断する際の切断ガイド線２６となるが、通常は切断せずにそのままの状態で壁１に対して施工される。なお、二つの桟木２３を隙間を設けることなく上下二段にそのまま重ねるようにすることもできる。この場合でも切断ガイド線２６は外部から容易に把握することができる。また、一方の桟木２３を外し、もう一方の桟木２３をガイドとして、カッター等で切断してもよい。板材２２が石膏ボードであれば、カッターで容易に切断することができる。
板材２２の上下の長さは、リフォーム対象の壁１の上下の高さに略等しく、断熱面板２４の上下の長さよりも数ｃｍ長い。よって、図３に示すように、板材２２には、断熱面板２４の上下からそれぞれ突出する突出部（嵌合部）２７が形成され、壁用の断熱リフォーム用断熱パネル２０は全体が断面略凸字状の形状となっている。
このように壁用の断熱リフォーム用断熱パネル２０は、断熱材２１と板材２２を一体化してなる。
【００４６】
なお、板材２２の厚さが５．５ｍｍ、断熱材２１の厚さが１５ｍｍの場合は、壁用の断熱リフォーム用断熱パネル２０の総厚は２０．５ｍｍとなる。
この総厚が薄ければ薄い程、部屋が狭くならないので好ましいが、断熱材２１が薄ければ、その分、断熱性能は低下する。また、火気使用室等、内装制限にかかる部位に用いる場合には、板材２２として不燃性能の高い石膏ボード等を用いるとともに、断熱材２１も不燃性能の高いものにする必要がある。こういった諸条件を考えると、Ｅランク（熱伝導率０．０２８〜０．０２３）以下の熱伝導率である断熱材２１を用いることが好ましい。また、より好ましくは、Ｆランク（熱伝導率０．０２２以下）のＡ種フェノールフォーム保温板１種１号，２号等を断熱材２１として用いれば、薄くても断熱性能が得られるとともに、不燃性能も得られる。Ｃランク（熱伝導率０．０４０〜０．０３５）の断熱材２１と比較すると、Ｅランクの断熱材２１であれば７割程度、Ｆランクの断熱材２１であれば５割程度あるいはそれ以下の厚みで同等の断熱性が得られる。一方、グラスウール、ロックウール等は不燃性能に優れるが、Ｃランク、良くてもＤランク（熱伝導率０．０３４〜０．０２９）程度の断熱性能しか得られないのであまり好ましいとは言えない。それに対し、ポリスチレンフォーム、硬質ウレタンフォームといった断熱材２１は、不燃性能に劣るものの、Ｅランク程度の断熱性能を得られるものもあるので、用いることができる。ただし、今のところ、断熱性能、不燃性能、吸湿性能、防湿性能、加工性等の観点から、フェノールフォームが断熱材２１として最も好ましい。
ここでいう、Ｃ，Ｄ，Ｅ，Ｆの各ランクとは、独立行政法人住宅金融支援機構の断熱材区分におけるランクである。
【００４７】
天井用の断熱リフォーム用断熱パネル３０も、図４に示すように、断熱面板３４の室内側Ｐ表面に板材３２を固定してなる。その構造は基本的には壁用の断熱リフォーム用断熱パネル２０と変わりないが、この断熱リフォーム用断熱パネル３０はリフォーム後には荷重がほとんど作用しない天井２部分に用いられるものなので、この板材３２は３ｍｍ程度の薄いものを使用する。また、桟木３３は両側面のみに設けられ長手方向に延びる。嵌合部３７としては、天井材に多用されるあいじゃくりを採用した。
【００４８】
床用の断熱リフォーム用断熱パネル４０も、図５に示すように、壁用の断熱リフォーム用断熱パネル２０や天井用の断熱リフォーム用断熱パネル３０と同様に、断熱面板４４の室内側Ｐ表面に板材４２を固定してなる。そして、断熱面板４４は所定の間隔で配された複数の桟木４３と、桟木４３間の矩形状の断熱材４１からなる。
ここでの板材４２の厚さは壁用のものよりも厚く、１２ｍｍである。これは、床材としての耐荷重性を考慮した結果であって、金庫やピアノ、本棚等の重量物が設置される場合は、板材４２はさらに厚く、１５ｍｍ又は２４ｍｍのものを用いる事も考えられる。
床用の断熱リフォーム用断熱パネル４０の側面には、嵌合部４７として実加工を施して、目違いが生じないように強固に嵌合される。
【００４９】
二重窓１０は、図６，図７及び図１２に示すように、壁１に囲まれた既存の外窓１１の室内側Ｐに張り出すように新たな窓枠１４を取付け、その窓枠１４に内窓として障子１２を組み付けてなる。
新たな窓枠１４はプラスチック製の窓枠下地１５と窓枠化粧材からなる。窓枠下地１５が既存の窓枠１３上に設けられ、この上に窓枠化粧材を被着している。この際に内窓１２と既存の外窓１１との間に十分な空間を確保できない場合は、ふかし枠１６を用いて適宜調整を行っても良い。
二重窓１０における内窓用サッシ１２ａの構造に関しては通常の木製サッシに類似しているが、内窓用サッシ１２ａは外気に接しておらず、風雨に晒されるものでは無いので、防水性に関しては考慮しなくても良い。つまり、内窓用サッシ１２ａは気密性と断熱性を重視した構造となっている。召し合わせ１７部分には耐久性に優れたプラスチック又はゴムの押出成型パッキン、窓枠化粧材にはヒダ状パッキン、上部にもプラスチック又はゴムの押出成型パッキンを用いてある。
【００５０】
次に、これらの断熱リフォーム用断熱パネル２０，３０，４０と二重窓１０に関する断熱リフォーム方法を順に示す。この断熱リフォームは、部屋単位で行う。
まず、断熱リフォームを行う部屋の家具等を撤去する。
次に、既存内装の壁１・天井２・床３のチェックを行い、剥離・破損等の不具合を補修する。なお、この補修は、壁１・天井２・床３に下地材として各種断熱リフォーム用断熱パネル２０，３０，４０を保持できるだけの強度を持たせるだけよい。
壁１や天井２にあるコンセントＣ、スイッチ、エアコン、照明等の器具は、基本的には一旦撤去して、壁用の断熱リフォーム用断熱パネル２０や天井用の断熱リフォーム用断熱パネル３０の施工後に再度取り付ける。しかし、場合によってはそのままにして、コンセントＣ等の周囲に各種断熱リフォーム用断熱パネル２０，３０，４０を施工することも考えられる。
【００５１】
次に、壁用の断熱リフォーム用断熱パネル２０を施工する。その下準備として、図８に示すように、既存壁１の上下位置に下地材として角材Ｔを予め設けておき、その角材Ｔに壁用の断熱リフォーム用断熱パネル２０の上下端の突出部２７を釘等で固定する。このとき、既存壁１を撤去する必要は無く、そのままこの上に壁用の断熱リフォーム用断熱パネル２０を重ねて施工する。このように壁用の断熱リフォーム用断熱パネル２０は、図６及び図７に示すように、この後に取付けられる新たな窓枠１４の室内側Ｐに張り出した部位１８と壁１との間を埋めるように施工される。
壁用の断熱リフォーム用断熱パネル２０の既存壁１への固定は、上下端の突出部２７以外にも、桟木２３部分を室内側Ｐから釘等で打撃固定したり、木ネジ、接着剤、両面テープ等による固定が考えられる。
また、既存壁１の強度によっては胴縁を予め施工し、この上に壁用の断熱リフォーム用断熱パネル２０を施工すれば、一層強固に取付けできる。壁１への固定手段には特に制限は無いが、既存壁１の状況によって釘や木ネジ、接着剤等を使い分けるのが好ましい。
【００５２】
次に、壁用の断熱リフォーム用断熱パネル２０と同様の手順で、天井用及び床用の断熱リフォーム用断熱パネル３０，４０を施工する。ここで、天井用の断熱リフォーム用断熱パネル３０における断熱材３１が野縁と直交するように、また床用の断熱リフォーム用断熱パネル４０における断熱材４１が根太と直交するようにそれぞれを配置する。
【００５３】
これら各種断熱リフォーム用断熱パネル２０，３０，４０の施工が完了した後、内窓１２の施工を行う。
内窓１２の施工に関しては、まず既存の外窓１１のチェックを行い、気密不完全な部分を補修しておく。
次に、図９に示すように、既存の窓枠１３にプラスチック製の窓枠下地１５を位置決めして施工する。施工は、木ネジ、接着剤、両面テープ等の手段で固定を行う。このとき、既存の窓枠１３の奥行が不足の場合は、室内側Ｐへふかし枠１６を付加しても良い。そして、窓枠下地１５の上に窓枠化粧材を嵌合固定する。
窓枠化粧材は、内窓１２が木製なので、これに色を合わせておくと違和感が無く好都合である。窓枠化粧材施工後、障子１２を取り付けて内窓１２の施工が完了する。
【００５４】
最後に、床３にはフローリング等の床仕上げ材を施工し、壁１及び天井２には目地部分にパテ等で目止めを行なった上で、壁紙を施工すれば断熱リフォーム工事は完了する。
【００５５】
以上のように構成された断熱リフォーム用断熱パネル２０，３０，４０及び断熱リフォーム方法によれば、既存の壁１等における仕上げ材を撤去することなく、断熱材２１，３１，４１と板材２２，３２，４２を一体化してなる断熱リフォーム用断熱パネル２０，３０，４０を施工するだけなので、廃棄物はほとんど発生しない。
窓に対する断熱リフォームにおいても、既存のサッシ１１ａをそのまま温存するので、廃棄物が発生しない。
また、既存の仕上げ材を撤去する手間が掛からないので、工期は短期である。当然ながら、仕上げ材の撤去に伴う間柱等の破損がないので、これらの交換の必要もない。
また、室内側Ｐからの施工であるので、断熱施工が一部屋単位であってもその部屋における断熱効果は高い。したがって、例えば初年度は一部屋だけリフォームを行い、他の部屋のリフォームは次年度以降に行うといった部屋単位でのリフォームも可能となる。つまり、外断熱の場合のように、住宅全体を一気に断熱施工する必要は無いので、気軽に断熱リフォームを行うことができる。
また、断熱工事が不要な納戸、倉庫、未使用の居室等は断熱する必要が無いので、その分の費用節約も可能である。
また、部屋単位で順番に施工可能なので、断熱リフォーム中もその住宅での生活が可能である。また、施工現場の家具のみを他の部屋に一時的に退避して工事続行が可能である。よって、転居や、家具の退避に伴う倉庫を借りる等の手間及びコストが掛からない。
また、全て室内側Ｐから工事が可能なので、室外側Ｑの足場は不要である。サッシも既存サッシ１１ａがそのままなので、施錠することができ、セキュリティ上も全く問題ない。
このように、本実施形態に係る断熱リフォーム方法は簡易な方法である。
【００５６】
それに加え、各種断熱リフォーム用断熱パネル２０，３０，４０における断熱材２１，３１，４１をそれぞれ既存の間柱・野縁・根太と直交させたので、断熱材２１，３１，４１の無いヒートブリッジとなり得る部分は僅かしかない。
また、断熱材２１，３１，４１は工場で均質に製造したものであるので、断熱材２１，３１，４１が隅々まで正確に施工されたかは目視で容易に確認可能であり、ヒートブリッジ形成の危険性は殆ど無い。
このようにヒートブリッジが形成され難いので、断熱効果が高く、またリフォーム施工後長期間経過しても、間柱等の位置が黒い影のように浮かび上がって見苦しくなる恐れも無い。
【００５７】
また、特に壁１のリフォームに関して、断熱リフォーム用断熱パネル２０を施工して、窓枠の室内側Ｐに張り出した部位１８を埋めるので、壁１と張り出した部位１８との段差が小さくなり、見栄えがよい。
さらに、室内での工事だけで済むので、天候の影響は受けない。よって、冬季の積雪地であっても、資材の運搬さえできれば支障なく工事が可能である。
また、断熱リフォーム用断熱パネル２０，３０，４０の施工は、全て入居者の区分所有権の及ぶ範囲である室内側Ｐであり、しかも既存の壁１を撤去しなくてよいので、集合住宅であっても断熱施工が可能である。
また、既存のサッシ１１ａには全く手を加えないので、窓についても集合住宅において断熱施工が可能である。
このように、既存の壁１やサッシ１１ａは残したままなので、リフォーム後も原状復旧が可能であり、退去時に原状復旧が必要な賃貸住宅等にも適している。
【００５８】
また、板材２２には、断熱面板４４の上下からそれぞれ突出する突出部２７が形成され、全体が断面略凸字状の形状であるので、既存の壁１の上下位置に角材Ｔを水平に配置しておけば、その角材Ｔに突出部２７を重ね合わせ、突出部２７に釘を打ち付けるだけで、柱などの位置を気にせず断熱リフォーム用断熱パネル２０を壁１に固定することができる。
また、突出部２７に角材Ｔが納まるので、突出部２７のない断熱パネルを角材Ｔの上にそのまま固定した場合のように部屋が狭くなることはない。
【００５９】
なお、壁用の断熱リフォーム用断熱パネル２０は、図１０（ａ）に示すように一部の桟木２３を上下二段に重ねたが、こうすることで図１０（ｂ）に示すように、二段の桟木２３の境界線である切断ガイド線２６に鋸等を沿わせて断熱リフォーム用断熱パネル２０を容易に上下に切断することができる。このとき、桟木２３は板材２２に対して剥離可能となるように少量の接着剤２５で固定されているので、図１０（ｃ）に示すように、切断箇所の桟木２３を容易に取り除くことができる。すなわち、新たに断熱リフォーム用断熱パネル２０の突出部２７を形成することができる。これにより、現場での断熱リフォーム用断熱パネル２０の寸法合わせ及び施工を容易に行うことができる。
この切断で形成された壁用の断熱リフォーム用断熱パネル２０のうち小幅の部分は、図１１に示すように、他の壁用の断熱リフォーム用断熱パネル２０の継ぎ足し部分２８（不足部分）に転用可能である。例えば、天井２から床３までが８尺であっても、運搬上の都合等から全長が６尺の壁用の断熱リフォーム用断熱パネル２０が用いられることがある。このとき、６尺の壁用の断熱リフォーム用断熱パネル２０を三等分して２尺の壁用の断熱リフォーム用断熱パネル２０を三つ作り、上下の桟木２３を外す。そして、図１３に示すように、壁１の上下位置に加え、天井２から略２尺の位置にも角材Ｔを二つ上下二段に設け、上側には２尺の壁用の断熱リフォーム用断熱パネル２０を、下側には６尺の壁用の断熱リフォーム用断熱パネル２０を施工する。この天井２から略２尺の位置の二つの角材Ｔは、縦幅が通常の角材Ｔ二段分のものを一本としてもよい。
また、壁用の断熱リフォーム用断熱パネル２０と天井用の断熱リフォーム用断熱パネル３０は兼用可能である。
【００６０】
また、一部の桟木２３を上下二段に重ねたが、これに限られるものではなく、全ての桟木２３が一本ずつであって、それぞれ断熱材２１と交互に配置されていてもよい。
【００６１】
また、ステープラや少量の接着剤２５によって桟木２３，３３，３４を板材２２，３２，４２に対して剥離可能に固定したが、仮固定部材２５はこれに限られるものではない。他には、弱粘着の接着剤や少量又は弱粘着の粘着テープ等が仮固定部材２５として考えられる。また、桟木２３，３３，３４を断熱材２１，３１，４１にも固定してもよい。
一方、桟木２３，３３，３４を取り外す必要がないとき又は取り外す必要のない箇所では、通常の粘着力の接着剤を用いて桟木２３，３３，３４を断熱材２１，３１，４１及び板材２２，３２，４２に対して恒久的に固定してもよい。
さらに、これらの仮固定部材２５を用いず、桟木２３は上下に位置する断熱材２１で挟持されているだけで、断熱材２１及び板材２２に対しては固定されていなくてもよい。もちろん、この場合は一層桟木２３の取り外しが容易である。
【００６２】
また、壁用の断熱リフォーム用断熱パネル２０を壁１へ固定し易いように、板材２２に断熱面板４４の上下からそれぞれ突出する突出部２７を形成したが、これに限られるものではない。突出部２７がなくても木ネジ、接着剤、両面テープ等の既知の固定手段を用いて、断熱リフォーム用断熱パネル２０の壁１への固定は可能である。
【００６３】
また、本実施形態では、既存の壁１，既存の天井２，及び既存の床３の全てに断熱リフォームを施したが、例えば壁１のみに対して行なっても一定の断熱効果は得られる。
集合住宅の一つの部屋に対して本実施形態に係る断熱リフォームを行う場合、隣の部屋との境界である壁１には、壁用の断熱リフォーム用断熱パネル２０の配置の省略、又はそれよりも断熱性能の低い断熱リフォーム用断熱パネルに変更しても支障がないこともある。
【００６４】
また、断熱リフォーム用断熱パネル２０，３０，４０における板材２２，３２，４２は合板としたが、これに限られるものではなく、ＭＤＦ等の繊維板、パーティクルボード、ＬＶＬ等他の木質材料を用いても差し支えない。
一方、火気使用室等、内装制限に係る部位をリフォームする場合には、板材２２，３２，４２として石膏ボード、あるいは珪酸カルシウム、粘土鉱物のバーミキュライト等からなる面材（例えば、ＭＯＩＳＳ／モイス（登録商標））などの不燃、準不燃、難燃等の非木質材料を用いることもできる。このように、目的によって、板材２２，３２，４２はその材質を問わず採用可能である。
【００６５】
また、板材２２，３２部分の厚さに関しては、天井用は、歩行等で荷重がかかる事も無いので、厚さは３ｍｍ程度で十分だが、壁用は人や家具等が衝突・接触する恐れがあるので、概ね６〜１２ｍｍ程度が必要とされる。もちろん、壁用の断熱リフォーム用断熱パネル２０と天井用の断熱リフォーム用断熱パネル３０を兼用するときには、厚さは壁用の断熱リフォーム用断熱パネル２０のほうに合わせる。
【００６６】
さらに、断熱リフォーム用断熱パネル３０，４０同士を嵌合させるための嵌合部３７，４７は、実、あいじゃくり等を使い分けたが、これらに限定されるものでは無く、例えば天井用の断熱リフォーム用断熱パネル３０について、嵌合部３７を実形状としてもよい。壁用の断熱リフォーム用断熱パネル２０の嵌合部２７も適宜、実やあいじゃくり等にできる。また、目違いが生じにくく施工性が良好であれば他の方法も採用可能である。
また、断熱リフォームを部屋単位で行ったが、住宅全体に対して同時に行なってもよい。もちろん、新築時に同様の施工を行なってもよい。
【００６７】
また、壁用の断熱リフォーム用断熱パネル２０を施工してから障子１２を取付けたが、現場によってはこの順番は逆であっても構わない。
また、壁用や天井用の断熱リフォーム用断熱パネル２０，３０へ化粧材として壁紙を施工したが、塗装でもよく、またこれらに限られるものではない。
床３に関しては、フローリングを施工するとしたが、カーペット、畳、塩ビシート等の施工が可能である。
【００６８】
また、天井用の断熱リフォーム用断熱パネル３０において、桟木３３を両側面のみに設けたが、桟木３３を中央部に設けてもよい。
また、断熱リフォーム用断熱パネル２０，３０，４０は、その周囲に、壁１・天井２・床３に対し断熱リフォーム用断熱パネル２０，３０，４０を固定させるための、又は隣接する断熱リフォーム用断熱パネル２０，３０，４０同士を嵌合させるための突出部（嵌合部）２７，３７，４７が設けられていれば、その位置が上端及び下端の二辺であっても、左端及び右端の二辺であっても構わない。一方、場合によっては突出部（嵌合部）２７，３７，４７を外周四辺に設けること、又は全く設けないことも考えられる。
【００６９】
また、断熱リフォーム用断熱パネル２０，３０，４０では、水平に延びる桟木２３，３３，４３を設けて補強するように、またネジや釘等にて固定できるようにしたが、図１４乃至図１６に示すように、水平に延びる桟木５３に加えて上下に延びる縦桟木５８を設けるようにした断熱リフォーム用断熱パネル５０としてもよい。
すなわち、水平に延びる桟木５３を上下方向に所定の間隔で複数配するとともに桟木５３間に矩形状の断熱材５１を配するとともに、複数配された桟木５３の左右両端側に上下に延びる縦桟木５８を配したもの、ここでは、桟木５３と断熱材５１と縦桟木５４が一体化された断熱面板５４、の室内側Ｐ表面に板材５２を、断熱面板５４の上下からそれぞれ突出するように固定して、断熱材５１と板材５２を一体化したものである。また、板材５２が断熱面板５４から上下にそれぞれ突出した部位には、断熱リフォーム用断熱パネル５０を嵌め込むときの嵌合部５７が形成されている。
なお、桟木５３の左右両端側に配された縦桟木５８は、ここでは、桟木５３の左右両端に接するようにして桟木５３と断熱材５１と縦桟木５４が一体化されたものを断熱面板５４と呼んでこれに板材５２を固定したが、縦桟木５４を、桟木５３及び断熱材５１に対して間を開けて配したものの室内側Ｐ表面に板材５２を固定するようにしてもよい。この場合、板材５２は上下部に位置する断熱材５１から上下方向に突出するように固定される。
また、ここでは、水平に延びる全ての桟木５３を一本ずつとしてそれぞれ断熱材５１と交互に配置している。なお、断熱リフォーム用断熱パネル５０を切断して使用する場合には、断熱材５１側からカッターナイフ等で板材５２に至るまで切込みを入れて断熱材５１を除去した後にスクレーパーなどで露出した板材５２の裏面を平滑化することにより嵌合部５７を形成するようにして切断する。
また、図１６に示すように板材５２の角部は面取りされていて、カットして使用する場合には面取りにより壁紙を貼った後の段差を抑えるようにしている。
【００７０】
このような断熱リフォーム用断熱パネル５０は、壁１に囲まれた既存の外窓１１の室内側Ｐに張り出すように新たな窓枠１４を取付けるとともに、新たな窓枠１４に障子１２を組み付けて二重窓１０にするリフォーム時に、新たな窓枠１４の室内側Ｐに張り出した部位１８と壁１との間を埋めるように施工可能であるとともに、既存の壁１，既存の天井２，及び既存の床３のうち少なくとも一つの部位の室内側Ｐにも直接的に施工可能である。
【００７１】
また、板材５２の表面で、その裏面に桟木５３や縦桟木５８の来る位置に線を設けて位置を容易に確認できるようにしたり、さらには、ネジや釘などの固定部材用のピッチを容易に認識できるように、破線や点線、碁盤の目状の線を設けるようにしてもよい。
【符号の説明】
【００７２】
１      壁
２      天井
３      床
１０      二重窓
１１      外窓
１１ａ    サッシ
１２      障子（内窓）
１２ａ    サッシ
１３      既存の窓枠
１４      新たな窓枠
１５      窓枠下地
１６      ふかし枠
１７      召し合わせ
１８      張り出した部位
２０      壁用の断熱リフォーム用断熱パネル（断熱パネル）
２１      断熱材
２２      板材
２３      桟木
２４      断熱面板
２５      接着剤（仮固定部材）
２６      切断ガイド線
２７      突出部（嵌合部）
２８      継ぎ足し部分
３０      天井用の断熱リフォーム用断熱パネル（断熱パネル）
３１      断熱材
３２      板材
３３      桟木
３４      断熱面板
３７      嵌合部
４０      床用の断熱リフォーム用断熱パネル（断熱パネル）
４１      断熱材
４２      板材
４３      桟木
４４      断熱面板
４７      嵌合部
５０      床用の断熱リフォーム用断熱パネル（断熱パネル）
５１      断熱材
５２      板材
５３      桟木
５４      断熱面板
５７      嵌合部
５８      縦桟木
Ｃ      コンセント
Ｐ      室内側
Ｑ      室外側
Ｔ      角材
【図１】
0005986723.tif 000002
【図２】
0005986723.tif 000003
【図３】
0005986723.tif 000004
【図４】
0005986723.tif 000005
【図５】
0005986723.tif 000006
【図６】
0005986723.tif 000007
【図７】
0005986723.tif 000008
【図８】
0005986723.tif 000009
【図９】
0005986723.tif 000010
【図１０】
0005986723.tif 000011
【図１１】
0005986723.tif 000012
【図１２】
0005986723.tif 000013
【図１３】
0005986723.tif 000014
【図１４】
0005986723.tif 000015
【図１５】
0005986723.tif 000016
【図１６】
0005986723.tif 000017